【事件の表示】
　特願２０１０−　４２３５２「情報処理装置、制御方法およびコンピュータ読み取り可能な制御プログラムを格納した記憶媒体」拒絶査定不服審判事件〔平成２２年１０月１４日出願公開、特開２０１０−２３１７７５〕について、次のとおり審決する。
【結　論】
　本件審判の請求は、成り立たない。
【理　由】
１．手続の経緯
　本願は、平成１１年１１月２日に出願した特願平１１−３１２６２７号の一部を、平成１９年５月２１日に新たな特許出願とした特願２００７−１３３８８７号の一部を、平成２０年４月１日に新たな特許出願とした特願２００８−９５１２０号の一部を、平成２２年２月２６日に新たな特許出願としたものであって、平成２２年４月１３日付けの拒絶理由通知に対して、平成２２年５月１８日付けで手続補正がなされたが、平成２２年５月２４日付けで拒絶査定がなされ、これに対し、平成２２年８月２７日に拒絶査定に対する審判請求がなされたものである。
　
２．本願発明の認定
　本願の請求項に係る発明は、平成２２年５月１８日付けで手続補正された特許請求の範囲の請求項１〜１５に記載された事項により特定されるものと認められるところ、その請求項１に係る発明（以下、「本願発明」という。）は以下のとおりのものである。
「【請求項１】
　印刷装置が解釈できる印刷データを生成するプリンタドライバを備えた情報処理装置であって、
　前記プリンタドライバにより提供される設定画面を介して受け付けた指示に従い片面印刷を設定する設定手段と、
　前記プリンタドライバにより提供される設定画面を介してプレビュー指示を受け付ける受付手段と、
　前記受付手段が前記プレビュー指示を受け付けた場合、アプリケーションから発行されたデータと前記設定手段により設定された片面印刷とに基づいて、用紙の片面を示す印刷プレビュー画像を同一の用紙の枠線の態様にてプレビュー表示画面に表示させる表示制御手段と、
　前記表示制御手段によって前記用紙の片面を示す印刷プレビュー画像が表示された後、前記印刷プレビュー画像を含む前記プレビュー表示画面を介して前記片面印刷を両面印刷に変更するための指示が受け付けられた場合、前記表示制御手段により同一の用紙の枠線の態様にて表示された前記用紙の片面を示す印刷プレビュー画像を、用紙の表面に配置されるページの印刷プレビュー画像の用紙の枠線の態様と用紙の裏面に配置されるページの印刷プレビュー画像の用紙の枠線の態様とが異なる印刷プレビュー画像に加工させる加工手段を有することを特徴とする情報処理装置。」
　
３．引用刊行物
　原査定の拒絶の理由に引用された特開平１１−１４３６６４号公報（以下、「刊行物１」という。）には、図面とともに次の事項が記載されている。なお、下線は当審が付したものである。
　
（１）「【０００１】
【発明の属する技術分野】本発明は、印刷データを編集するアプリケーションソフトとプリンタ装置の設定を行うプリンタドライバを搭載し、その双方が印刷設定画面を持つようなコンピュータシステムを利用した印刷処理装置に関する。」
　
（２）「【００２９】図１において、
コンピュータ１−１には、表示装置１−２、入力装置１−３、およびプリンタ装置１−４が接続される。
【００３０】アプリケーション１−１２は、ユーザーが印刷したいドキュメントを作成するための編集機能および印刷設定を司る各インタフェースを提供する。印刷設定支援ソフト１−１３は、アプリケーション１−１２とプリンタドライバ１−１５がそれぞれ別個に持つ印刷設定機能を統合して管理するソフトウェアである。
オペレーティングシステム１−１４は、アプリケーション１−１２、印刷設定支援ソフト１−１３、プリンタドライバ１−１５および各インタフェース部とデータのやり取りを行い、ＣＰＵ１−７に演算処理を行わせてコンピュータ全体の処理を司るための基本ソフトウェアである。プリンタドライバ１−１５は、各プリンタ装置の機種毎に特化しており、オペレーティングシステム１−１４から送られて来る印刷データをプリンタ装置１−４が直接理解できる形態に再構成し、プリンタインタフェース部１−６へ送信する。
【００３１】図２において、アプリケーション２−１は、ユーザーが印刷したいドキュメントを作成するための編集機能および印刷設定を司る各インタフェースを提供する。ユーザインタフェース部２−２は、ユーザーが印刷したいドキュメントを入力・編集し、また印刷設定値を入力させるためのインタフェース部である。印刷データインタフェース部２−３は、印刷データをオペレーティングシステム２−２８を介してプリンタドライバへ送信するためのインタフェース部である。印刷支援ソフトとのインタフェース部２−４は、印刷設定情報記憶部２−８に記憶されている印刷設定情報および印刷データ記憶部２−６に記憶されている印刷データを印刷支援ソフト２−９へ送信する際に用いられるインタフェース部である。
【００３２】データ処理部２−５は、ユーザーが編集したドキュメントをオペレーティングシステム２−２８に送信する印刷データに変換する処理を行う。印刷データ記憶部２−６は、データ処理部２−５が変換した印刷データを記憶する部分である。印刷設定画面表示部２−７は、印刷設定情報記憶部２−８に記憶されている、本アプリケーションが規定する項目の印刷設定情報を表示し、この値をユーザーが操作するための画面表示を行う部分である。印刷設定情報記憶部２−８は、本アプリケーションが規定する項目の印刷設定情報を記憶する部分である。
【００３３】印刷設定支援ソフト２−９は、アプリケーション２−１とプリンタドライバ２−１６がそれぞれ別個に持つ印刷設定機能を統合して管理するソフトウェアである。アプリケーションとのインタフェース部２−１０は、印刷支援ソフトとのインタフェース部２−４から送られて来るアプリケーションの印刷設定情報および印刷データ記憶部２−６に記憶されている印刷データを受信する部分である。データ処理部２−１１は、アプリケーション２−１から受信した印刷設定情報と、プリンタドライバ２−１６から受信したプリンタ設定情報を解析し、互いに重複している設定項目を抽出する処理を行う部分である。」
　
（３）「【００４０】図３を参照すると、ステップ３−１では、ユーザーはコンピュータ装置１の記憶装置１１上にあるアプリケーション１６を用いて印刷ドキュメントを作成し、ステップ３−２印刷コマンドを選択する。ステップ３−３では、アプリケーション１６はこれを受けて印刷設定情報記憶部２−８に予め記憶されている、印刷設定項目・印刷設定値をもとに印刷設定入力画面を表示し、印刷支援ソフト２−９を呼び出すとともに印刷設定項目・印刷設定値を送信する。
【００４１】ステップ３−４では、呼び出された印刷支援ソフト２−９は印刷設定項目・印刷設定値を受信して総合印刷情報記憶部２−１４へ記憶し、ステップ３−５では、プリンタドライバ２−１６にプリンタ設定項目・プリンタ設定値の送信を要求する。ステップ３−６では、プリンタドライバは、プリンタ設定情報記憶部２−２１に予め登録されている、プリンタ設定項目・プリンタ設定値を印刷支援ソフト２−９へ送信するとともに、プリンタ設定画面表示部２−２０によってプリンタ設定入力画面を表示する。
【００４２】ステップ３−７では、印刷支援ソフト２−９は、受信したアプリケーションの印刷設定項目とプリンタドライバのプリンタ設定項目についてデータ処理部２−１１で解析し、両者で重複している項目を抽出する。抽出された重複項目は総合印刷情報記憶部２−１４に記憶される。
ステップ３−８では、続いて、ユーザーは印刷したいドキュメントの印刷設定をアプリケーション２−１の印刷設定画面あるいはプリンタドライバ２−１６のプリンタ設定画面に入力する。ステップ３−９では、入力した設定値は直ちに印刷支援ソフト２−９のデータ処理部２−１１を経由して総合印刷情報記憶部２−１４へ送られ、更新される。
【００４３】
ステップ３−１１では、また、更新された項目がプリンタドライバ側の設定画面に入力された場合であれば、ステップ３−１２では、印刷支援ソフト２−９は当該設定値をアプリケーション２−１へ送信し、アプリケーション２−１は当該設定値を受信すると、印刷設定情報記憶部２−８に記憶されている既存の値を更新し、更新された値は印刷設定画面表示部２−７で表示される。
【００４４】上記の処理の後、ステップ３−１４では、ユーザーが印刷開始コマンドを選択すれば、ステップ３−１５では、アプリケーション２−１の印刷データ記憶部２−６に記憶された印刷データはプリンタドライバ２−１６へ送信される。ステップ３−１６では、プリンタドライバ２−１６で受信された印刷データは、プリンタ設定情報記憶部２−２１に記憶されている設定値とともに、データ処理部２−１８で処理され、プリンタ装置が印刷可能な形態に変換される。変換された印刷データは印刷処理部２−２３によって、プリンタインタフェース部２−２５を介してプリンタ装置２−２６に送信され、ステップ３−１７では、印刷が実行される。」
　
（４）「【０１４５】図３８は図２、図８における印刷支援ソフト内の印刷プレビュー処理部２−１３、８−１１についての１実施例の詳細図である。３８−１は印刷支援ソフトのデータ処理部で２−１１、８−１０と同じものである。これは印刷プレビュー処理部の入出力を制御するものである。
【０１４６】総合印刷情報記憶部３８−２はアプリケーションでの印刷設定とプリントドライバの印刷設定を統一して記憶している。印刷プレビュー処理部３８−３はアプリケーションの文書データと総合印刷情報記憶部３８−２の印刷設定データを使って印刷プレビューを表示、編集を行う。プレビュー情報処理部３８−４は両面印刷設定を確認し、両面印刷モードの場合には各ページごとに表面、裏面の情報を付加する。また、ユーザーインタフェイス３８−７を通して空白ページの編集入力が行われた場合、編集処理を行い、プレビューを更新する。プレビューデータ展開部３８−５は従来のプレビュー画像の展開処理と同様の処理を行う。その展開された画像データを表示するのが表示装置３８−６である。
【０１４７】図３９において、
ステップ３９−１ではプレビュー情報処理部３８−４が印刷支援ソフトのデータ処理部３８−１を通してアプリケーションの印刷データ記憶部２−２１、８−６に記憶されている文書データと統一された印刷設定データを総合印刷情報記憶部３８−２より受け取る。
【０１４８】
ステップ３９−２ではプレビュー情報処理部３８−４がその印刷設定データをみて両面印刷モードか、そうでないかの判断をする。両面印刷モードでない場合はステップ３９−３で従来のプレビューデータ展開処理と同じようにプレビュー画像データを展開し、表示装置３８−５に送る。ステップ３９−４でプレビューを表示装置３８−５に表示して終わる。ステップ３９−２において両面印刷モードが設定されていたなら、ステップ３９−５に進み、プレビュー情報処理部３８−４が各ページごとに表面、裏面の情報を付加し、プレビューデータをプレビューデータ展開部３８−５に送る。
【０１４９】
ステップ３９−６ではプレビュー展開部３８−５が従来と同じようにプレビュー画像データに展開し、ステップ３９−７でそのデータを表示装置３８−５に表示する。その例として図４０を示す。表面、裏面の情報が表示されているのがわかる。
【０１５０】空白ページ編集は図４０のページ挿入（前）、ページ挿入（後）、ページ削除のアイコンをクリックすることによって行う。ページ挿入（前）アイコンは表示されているページの前に空白ページを挿入する。ページ挿入（後）アイコンは表示されているページの後に空白ページを挿入する。ページ削除アイコンは表示されているページを削除する。これらのアイコンでページ編集を行い、任意のページを表面、裏面に指定できる。図４１は図４０においてページ挿入（前）をクリックした結果を表している。１ページ目がページ挿入することによって２ページに移動し、表面から裏面になっていることがわかる。」
　
（５）「【０１９１】図６５は図２、図８における印刷支援ソフト内の印刷プレビュー処理部２−１３、８−１１についての１実施例の詳細図である。６５−１は印刷支援ソフトのデータ処理部で２−１１、８−１０と同じものである。これは印刷プレビュー処理部の入出力を制御するものである。総合印刷情報記憶部６５−２はアプリケーションでの印刷設定とプリントドライバの印刷設定を統一して記憶している。印刷プレビュー処理部６５−３はアプリケーションの文書データと総合印刷情報記憶部６５−２の印刷設定データを使って印刷プレビューを表示する。
【０１９２】プレビューデータ展開部６５−４は従来のプレビュー画像の展開処理と同様の処理を行う。プレビュー画面作成部６５−５はプレビューデータ展開部６５−４が展開したプレビュー画像データを各ページごとの印刷設定に従って左右反転、１８０度回転、白黒反転の処理をする。その加工された画像データを表示するのが表示装置６５−７である。ユーザーインタフェイス６５−６によって各ページごとの編集処理の入力を行い、その更新情報はデータ処理部６５−１を通して総合印刷情報記憶部６５−２に記憶される。
【０１９３】図６６において、ステップ６６−１ではプレビューデータ展開部６５−４が印刷支援ソフトのデータ処理部６５−１を通してアプリケーションの印刷データ記憶部２−２１、８−６に記憶されている文書データと統一された印刷設定データを総合印刷情報記憶部６５−２より受け取り、ステップ６６−２で従来のプレビューデータ展開処理と同じようにプレビュー画像データに展開し、プレビュー情報処理部６５−５に送る。
【０１９４】ステップ６６−３ではその展開されたプレビュー画像データにプレビュー情報処理部６５−５で左右反転、１８０度回転、白黒反転などの処理を行う。プレビュー画像の処理はプレビュー情報処理部６５−５が印刷設定データを印刷支援ソフトのデータ処理部６５−１を通して総合印刷情報記憶部６５−２より受け取り、それに対応する処理を行う。ステップ６６−４でその処理されたデータを表示装置６５−７に送り、プレビューを表示する。
【０１９５】ステップ６６−５で編集したいページをプレビュー画面に表示し、図６７に示す編集アイコンを使って、どの編集処理をするか選択する。終了アイコンを選択した場合はＥＮＤで終了となる。それ以外の
左右反転、１８０度回転、白黒反転の各アイコンが選択されたときは、ステップ６６−６において、プレビュー情報処理部６５−５がその変更情報を総合印刷情報記憶部６５−２に送り、記憶する。さらに、ステップ６６−３に戻り、変更内容をプレビュー画面に反映させるようにする。
【０１９６】例として図６７、図６８、図６９，図７０を示す。図６７は何も指定していない例、図６７において左右反転アイコンをクリックした例である。このように各ページごとの設定が容易に行える。その他の１８０度反転、白黒反転についても同様に図６９、図７０に示す。」
　
（６）一つのページを表示する図４０等、また、複数ページを同時に表示する図４５等のプレビュー表示例には、印刷プレビュー画像を同一の用紙の枠線の態様でプレビュー表示画面に表示させることが記載されている。
　
（７）上記（２）における「印刷設定支援ソフト」と、上記（３）〜（５）における「印刷支援ソフト」とは、表記が異なるだけであって、共に、アプリケーションとプリンタドライバがそれぞれ別個に持つ印刷設定機能を統合して管理するソフトウエアであるから、以後、統一して「印刷支援ソフト」という。
　
（８）上記（１）〜（６）の記載を総合すれば、刊行物１には、以下の発明（以下、「刊行物１発明」という。）が記載されている。
「表示装置、入力装置、およびプリンタ装置が接続されたコンピュータであって、
　コンピュータは、アプリケーション、印刷支援ソフト、プリンタドライバおよび各インタフェース部とデータのやり取りを行い、ＣＰＵに演算処理を行わせてコンピュータ全体の処理を司るための、基本ソフトウェアであるオペレーティングシステムを備え、
　プリンタドライバは、オペレーティングシステムから送られて来る印刷データをプリンタ装置が直接理解できる形態に再構成し、プリンタインタフェース部へ送信するものであって、
　ユーザーが印刷したいドキュメントの印刷設定をプリンタドライバのプリンタ設定画面に入力すると、入力した設定値は直ちに印刷支援ソフトのデータ処理部を経由して総合印刷情報記憶部へ送られ、更新され、
　印刷支援ソフトは当該設定値をアプリケーションへ送信し、アプリケーションは当該設定値を受信すると、印刷設定情報記憶部に記憶されている既存の値を更新し、
　プレビュー情報処理部が印刷支援ソフトのデータ処理部を通してアプリケーションの印刷データ記憶部に記憶されている文書データと統一された印刷設定データを総合印刷情報記憶部より受け取り、
　プレビュー情報処理部がその印刷設定データをみて両面印刷モードか、そうでないかの判断し、両面印刷モードでない場合は、従来のプレビューデータ展開処理と同じようにプレビュー画像データを展開し、表示装置に送り、プレビューを表示装置に表示し、
　両面印刷モードが設定されていたなら、プレビュー情報処理部が各ページごとに表面、裏面の情報を付加し、プレビューデータをプレビューデータ展開部に送り、表示装置に表面、裏面の情報とともに表示し、
　その変更情報を総合印刷情報記憶部に送り、記憶し、変更内容をプレビュー画面に反映させるものであって、
　印刷プレビュー画像を同一の用紙の枠線の態様でプレビュー表示画面に表示させるものであるコンピュータ。」
　
４．　対比・判断
（１）本願発明と刊行物１発明との対比
　刊行物１発明は、オペレーティングシステムから送られて来る印刷データをプリンタ装置が直接理解できる形態に再構成し、プリンタインタフェース部へ送信するプリンタドライバを備えたものであるから、本願発明と刊行物１発明とは、印刷装置が解釈できる印刷データを生成するプリンタドライバを備えた情報処理装置である点で一致する。
　
　刊行物１発明は、印刷設定データをみて、両面印刷モードかそうでないかの判断をするものであって、ここで、両面印刷モードでないモードが片面印刷モードであることは明らかである。つまり、印刷設定データは、両面印刷モードであるか、あるいは、片面印刷モードであるかを示す情報を含むものである。
　そして、刊行物１発明は、ユーザーが印刷したいドキュメントの印刷設定をプリンタドライバのプリンタ設定画面に入力すると、印刷設定情報記憶部に記憶されている既存の値を更新されるものであるから、刊行物１発明は、ユーザーがプリンタ設定画面に両面印刷モードか片面印刷モードかの設定を入力するものである。
　それゆえ、本願発明と刊行物１発明とは、プリンタドライバにより提供される設定画面を解して受け付けた指示に従い片面印刷を設定する設定手段を備えている点で一致する。
　
　刊行物１発明は、ユーザーが印刷したいドキュメントの印刷設定をプリンタドライバのプリンタ設定画面に入力すると、プレビュー情報処理部が印刷支援ソフトのデータ処理部を通してアプリケーションの印刷データ記憶部に記憶されている文書データと統一された印刷設定データを総合印刷情報記憶部より受け取り、プレビュー情報処理部がその印刷設定データをみて、同一の用紙の態様でプレビューを表示装置に表示するものである。ここで、アプリケーションの印刷データ記憶部に記憶されている文書データと統一された印刷設定データは、アプリケーションから発行されたものといえる。
　それゆえ、本願発明と刊行物１発明とは、アプリケーションから発行されたデータと前記設定手段により設定された片面印刷とに基づいて、用紙の片面を示す印刷プレビュー画像を同一の用紙の枠線の態様にてプレビュー表示画面に表示させる表示制御手段を備えている点で共通する。
　
　刊行物１発明は、印刷設定として、片面印刷あるいは両面印刷を設定できるものである。
　また、刊行物１発明は、印刷データ記憶部に記憶されている文書データと、総合印刷情報記憶部に記憶されている印刷設定データとからプレビュー画像データを展開し、プレビュー画像を表示しており、ここで、前記総合印刷情報記憶部に記憶されている印刷設定データは、プリンタドライバのプリンタ設定画面への入力によっても、また、アプリケーションの印刷設定画面への入力によっても更新されるものである。
　そして、通常のプリンタドライバの動作を踏まえれば、刊行物１発明は、いったん片面印刷に設定した後に両面印刷に設定変更したり、その逆に、いったん両面印刷に設定した後に片面印刷に設定変更することができるものと解される。
　さらに、刊行物１発明は、両面印刷モードが設定されている際に、表示装置にプレビュー画像を表面、裏面の情報とともに表示するものである。
　それゆえ、本願発明と刊行物１発明とは、表示制御手段によって前記用紙の片面を示す印刷プレビュー画像が表示された後、前記片面印刷を両面印刷に変更するための指示が受け付けられた場合、前記表示制御手段により前記用紙の片面を示す印刷プレビュー画像を、用紙の表面に配置されるページの印刷プレビュー画像の態様と用紙の裏面に配置されるページの印刷プレビュー画像の態様とが異なる印刷プレビュー画像に加工させる加工手段を備える点で共通する。
　
　したがって、本願発明と引用発明とは、以下の点で一致し、相違する。
　
［一致点］
「印刷装置が解釈できる印刷データを生成するプリンタドライバを備えた情報処理装置であって、
　前記プリンタドライバにより提供される設定画面を介して受け付けた指示に従い片面印刷を設定する設定手段と、
　前記受付手段が前記プレビュー指示を受け付けた場合、アプリケーションから発行されたデータと前記設定手段により設定された片面印刷とに基づいて、用紙の片面を示す印刷プレビュー画像を同一の用紙の枠線の態様にてプレビュー表示画面に表示させる表示制御手段と、
　前記表示制御手段によって前記用紙の片面を示す印刷プレビュー画像が表示された後、前記片面印刷を両面印刷に変更するための指示が受け付けられた場合、前記表示制御手段により前記用紙の片面を示す印刷プレビュー画像を、用紙の表面に配置されるページの印刷プレビュー画像の態様と用紙の裏面に配置されるページの印刷プレビュー画像の態様とが異なる印刷プレビュー画像に加工させる加工手段を有することを特徴とする情報処理装置。」
　
［相違点１］
　本願発明は、プリンタドライバにより提供される設定画面を介してプレビュー指示を受け付ける受付手段を備えるのに対して、
　刊行物１発明は、プレビュー画像を表示するものであるものの、プリンタドライバにより提供される設定画面を介してプレビュー指示を受け付けるものであるか否か明確でない点。
　
［相違点２］
　本願発明は、印刷プレビュー画像を含む前記プレビュー表示画面を介して前記片面印刷を両面印刷に変更するための指示が受け付けられた場合、表示制御手段により同一の用紙の枠線の態様にて表示された前記用紙の片面を示す印刷プレビュー画像を、用紙の表面に配置されるページの印刷プレビュー画像の用紙の枠線の態様と用紙の裏面に配置されるページの印刷プレビュー画像の用紙の枠線の態様とが異なる印刷プレビュー画像に加工させるのに対し、
　刊行物１発明は、片面印刷から両面印刷への変更指示がプレビュー表示画面を介して受け付けられるものであるか否か明確ではなく、また、片面印刷を両面印刷に変更するための指示が受け付けられた場合、両面印刷のプレビュー画像を、表面あるいは裏面を示す情報とともに表示するよう加工するものであるものの、表面と裏面とで用紙の枠線の態様を異ならせるものではない点。
　
（２）相違点に対する判断
［相違点１について］
　刊行物１発明がプレビュー指示をどのような画面で受け付けるかは明確ではないが、プリンタドライバにより提供される設定画面を介して両面印刷を設定した後にプレビュー画面を表示するものであるから、刊行物１発明は、プレビュー指示がないまま両面印刷設定に引き続いてプレビュー画面が表示されるか、別途のプレビュー指示がなされるものととらえるのが相当である。
　一方、プレビューを受け付けるための指示ボタンを設け、該指示ボタンをクリックすることによりプレビューを行うことはごく普通に行われていることである。
　それゆえ、刊行物１発明が前者であるとしても、プリンタドライバにより提供される設定画面を介して両面印刷を設定した後に、これに引き続き、該設定画面に設けたプレビュー指示を受け付けるための指示ボタンをクリックすることによりプレビュー画面を表示するようにすることは、当業者が適宜なし得たことである。
　また、刊行物１発明が後者であるとしても、後者のような別途のプレビュー指示はいずれかの画面で受け付けるのであるから、後者のような別途のプレビュー指示を、プリンタドライバにより提供される設定画面を介して受け付けるようにすることは当業者が適宜なし得たことである。
　以上のとおり、結局のところ、刊行物１発明において、プリンタドライバにより提供される設定画面を介してプレビュー指示を受け付ける受付手段を備える程度のことは、当業者が適宜なし得たことにすぎない。
　
［相違点２について］
　刊行物１発明は、片面印刷から両面印刷への変更指示がどのような画面においてなされるのか明確ではないが、いずれにせよ、いずれかの画面を介して変更指示を受け付けるものであって、そのような変更指示はいずれの画面で行っても特段変わるところはないのであるから、既に片面印刷のプレビュー画像を表示しているプレビュー表示画面を介して、片面印刷を両面印刷に変更するための指示を受け付けるようにすることは、当業者が適宜なし得たことである。
　
　片面印刷の場合には、表裏の別がないのであるから、用紙の枠線は同一のものであるが、両面印刷の場合には、表面と裏面とで用紙の枠線の形態を違えれば、枠線の形態によって表面と裏面の区別を付けることができる。また、両面印刷の場合に、枠線の形態によって表面と裏面の区別を付けることによって、それらの枠線と片面印刷の枠線とは、当然に異なるものとなる。
　それゆえ、相違点２を端的にいえば、片面印刷と両面印刷とでプレビュー画像の見せ方を違えるというよりも、両面印刷のプレビュー画像について、それが表面であるのか裏面であるのかを区別する見せ方を、用紙の枠線の態様を違えることにより行うか（本願発明）、表面あるいは裏面であることを示す情報を表示することで行うか（刊行物１発明）の違いである。
　なお、請求項１に記載された本願発明が、本願の図２９及び図３０に示されるような、複数ページを一括してプレビュー表示するものに限定されるものと解することはできない。片面印刷のプレビュー表示において、「同一の用紙の枠線の態様にて表示」することは、いずれのページを１ページずつプレビュー表示しても、枠線の見え方は同じであるということにすぎない。
　
　原査定の拒絶の理由に引用された特開平７−１１２５６２号公報（以下、「刊行物５」という。）には、両面印刷のプレビュー画像において、表面と裏面とで用紙の枠線の態様を異ならせることが記載されている。
　刊行物１発明は、両面印刷のプレビュー画像を表示する際に、表面あるいは裏面であることを示す情報を表示するものであるが、ユーザにとって、表面あるいは裏面であることが何らかの見え方でわかればよいのであるから、刊行物１発明において、両面印刷のプレビュー画像を表示する際に、表面あるいは裏面であることを示す情報を表示することに代えて、刊行物５に記載されたように、表面と裏面とで用紙の枠線の態様を異ならせることは、当業者が容易になし得たことである。
　
　そして、これらの相違点を総合的に考慮しても、当業者が推考し難い格別のものであるとすることはできない。
　
　以上のとおりであるから、本願発明は、刊行物１発明及び刊行物５発明に基づいて、当業者が容易に発明をすることができたものであるから、特許法第２９条第２項の規定により特許を受けることができないものである。
　
５．むすび
　以上のとおりであるから、本願は、他の請求項に係る発明について検討するまでもなく、拒絶すべきものである。
　よって、結論のとおり審決する。